(57)【特許請求の範囲】
【請求項１】
ケースと、圧電音響変換素子と、少なくとも一対の端子部材とを含む圧電音響変換器であって、
前記ケースは、第１のケース部材と、第２のケース部材とを組み合わせて構成され、内部空間を有しており、
前記第１のケース部材は、前記内部空間に連なる音響孔を有しており、
前記圧電音響変換素子は、振動板の一面上に圧電素子を搭載して構成され、前記内部空間を２分するようにして、前記ケースの前記内部空間内に収納されており、
前記一対の端子部材は、
一端が前記ケースの内部で前記圧電音響変換素子に接続され、
中間部が前記第１のケース部材及び前記第２のケース部材の間で押さえられ、
中間部より先の部分が、前記ケースの外部に導出され、前記第２のケース部材の上方に向かって折り返されたばね片となっている
圧電音響変換器。
【請求項２】
請求項１に記載された圧電音響変換器であって、
前記圧電音響変換素子は、前記振動板の周辺が前記ケースによって支持されている
圧電音響変換器。
【請求項３】
請求項１に記載された圧電音響変換器であって、
前記第１のケース部材は、前記圧電音響変換素子の前面に、前記音響孔に連なる第１の音響空間を生じさせており、
前記第２のケース部材は、前記圧電音響変換素子の背面に、前記第１の音響空間から区画された第２の音響空間を生じさせている
圧電音響変換器。
【請求項４】
請求項３に記載された圧電音響変換器であって、
前記第２のケース部材は、前記第２の音響空間に連なる背気孔を有し、前記背気孔は音響抵抗シートによって閉じられている
圧電音響変換器。
【請求項５】
請求項３に記載された圧電音響変換器であって、
前記第１のケース部材は、天面部を有し、前記天面部は前記音響孔を有しており、
前記第２のケース部材は、背面部を有しており、前記背面部は前記背気孔を有し、前記第１のケース部材の前記天面部と対向する
圧電音響変換器。
【請求項６】
請求項５に記載された圧電音響変換器であって、
前記端子部材は、前記第２のケース部材の前記背面部の上方に向かって折り返されている
圧電音響変換器。
【請求項７】
請求項１に記載された圧電音響変換器であって、
前記端子部材は、前記ケース外部に導出された部分の厚みが、前記一端部側の厚みよりも大きい
圧電音響変換器。
【請求項８】
請求項７に記載された圧電音響変換器であって、
前記端子部材は、金属板材の折り曲げ加工部品であり、
前記一端部は、前記金属板材の板厚による厚みを有しており、
前記一端部を除く部分は、前記金属板材に折り曲げ加工を施すことによって厚みが増大されている
圧電音響変換器。
【請求項９】
請求項１に記載された圧電音響変換器であって、
前記ばね片の先端部は、前記ケースの一面の面内に位置する
圧電音響変換器。
【請求項１０】
請求項１に記載された圧電音響変換器であって、
前記第１のケース部材及び前記第２のケース部材は、前記端子部材の前記中間部を押さえる端子導出部分が、外側に突出する突出部分となっている
圧電音響変換器。
【請求項１１】
請求項１に記載された圧電音響変換器であって、
前記第１のケース部材及び前記第２のケース部材のうちの一方は、前記端子部材の前記中間部を押さえる端子導出部分に突起を有し、他方は前記端子導出部分に前記突起を受ける穴を有する
圧電音響変換器。
【請求項１２】
請求項１１に記載された圧電音響変換器であって、
前記突起及び前記孔は、それぞれ２個以上備えられ、少なくとも２つは、前記端子部材の通る領域内に配置されており、
前記端子部材は、前記中間部に前記突起を通す孔を有する
圧電音響変換器。
【請求項１３】
請求項１に記載された圧電音響変換器であって、
前記圧電素子は、その全周と、前記振動板の全周辺との間に間隔を有して、前記振動板の一面上に搭載されており、
前記振動板は、前記間隔を生じる周辺部分が、前記第１のケース部材及び前記第２のケース部材の間で押さえられている
圧電音響変換器。
【請求項１４】
受話器本体と、圧電音響変換器とを含む電話機用送受話器であって、
前記圧電音響変換器は、請求項１乃至請求項１３の何れかに記載されたものであって、前記受話器本体内に配置されている
電話機用送受話器。
【請求項１５】
請求項１４に記載された送受話器であって、
前受話器本体は、送話口及び受話口を有し、
前記圧電音響変換器は、送話口及び受話口の少なくとも一方に備えられている送受話器。
【請求項１６】
請求項１５に記載された送受話器であって、
前記圧電音響変換器は、前記第１のケース部材に設けられた前記音響孔が、前記送話口または前記受話口に対面するように配置されている
送受話器。
【請求項１７】
請求項１６に記載された送受話器であって、
前記受話器本体は、ケースと、蓋とを有しており、
前記ケースは、前記送話口及び受話口を有し、
前記蓋は、前記送話口及び受話口とは反対側に位置する前記ケースの背面に配置され、前記圧電音響変換器に備えられた前記端子部材の前記ばね片に接触して押圧する
送受話器。
【請求項１８】
請求項１７に記載された送受話器であって、
前記蓋は、前記端子部材の前記ばね片と接触する部分に、導体パターンを有する
送受話器。
【発明の詳細な説明】
【０００１】
【発明の属する技術分野】
本発明は、ブザーや電話機等に用いられる圧電音響変換器に関する。
【０００２】
【従来の技術】
圧電音響変換器と外部導体とを電気的に接続する場合、一般には、絶縁被覆リード線を使用し、リード線の一端を圧電音響変換器に含まれる圧電音響変換素子に半田付けし、他端を圧電音響変換器の外部に導出して外部導体と半田付けする。このような技術は、実公平2ー38558号公報、実開平6ー38399号、実開昭64ー13900号公報、特開昭61ー13800号公報、米国特許第4,006,371号、米国特許第3,700,938号等に開示されている。
【０００３】
面倒な半田付け工程を省略する手段として、実公平2-45917号公報、特開昭60ー199298号公報、米国特許第4,965,483号等には、ばね端子部材を用い、そのばね圧力により、ばね端子部材を圧電音響変換素子に電気的に接続すると共に、ばね状端子を圧電音響変換器の外部に導出し、外部導体と電気的に接続する技術が開示されている。
【０００４】
しかしながら、ばね状端子を用いる場合、次のような条件を満たさなければならない。第１に、ばね状端子と外部導体との電気的接続において、接続部分の信頼性があること、すなわち、接点部における相互の押しつける力が大きいこと、第２に、圧電音響変換素子との電気的接続において、振動板の振動を抑制しないこと、すなわち、接点部における圧電音響変換素子への押しつける力が必要以上に大きくないことである。
【０００５】
この２つの要件は、互いに相反するものであるために、充足することが困難であり、上述した先行技術文献にも、これらの要件を満たす手段は開示されいない。
【０００６】
【発明が解決しようとする課題】
本発明の課題は、ブザーや電話機用送受話器に適用し得る圧電音響変換器を提供することである。
【０００７】
本発明のもう一つの課題は、半田付け等の工程を必要とすることなしに、外部導体に対し、電気的に確実、かつ、容易に接続し得る圧電音響変換器を提供することである。
【０００８】
本発明の更にもう一つの課題は、圧電音響変換素子の振動特性を損なうことなく、安定して動作する圧電音響変換器を提供することである。
【０００９】
本発明の更にもう一つの課題は、外部導体との電気的接続の信頼性を向上させた圧電音響変換器を提供することである。
【００１０】
【課題を解決するための手段】
上述した課題を解決するため、本発明に係る圧電音響変換器は、ケースと、圧電音響変換素子と、少なくとも一対の端子部材とを含む。前記ケースは、第１のケース部材と、第２のケース部材とを組み合わせて構成され、内部空間を有している。前記第１のケース部材は前記内部空間に連なる音響孔を有している。前記圧電音響変換素子は、振動板の一面上に圧電素子を搭載して構成され、前記内部空間を２分するようにして、前記ケースの前記内部空間内に収納されている。
【００１１】
前記一対の端子部材は、一端が前記ケースの内部で前記圧電音響変換素子に接続され、中間部が前記第１のケース部材及び前記第２のケース部材の間で押さえられ、中間部より先の部分が、前記ケースの外部に導出され、前記第２のケース部材の一面の上方に向かって折り返されたばね片となっている。
【００１２】
圧電音響変換素子は、振動板の一面上に圧電素子を搭載して構成され、ケースの内部空間を２分するようにして、ケースの内部空間内に収納されている。第１のケース部材は内部空間に連なる音響孔を有している。このような構造であると、圧電音響変換素子を電気信号によって励振し、振動音を音響孔を通って外部に放音する（受話機能）ことができる。また、第１のケース部材に設けられた音響孔を通って、音波を第１のケース部材の内部に導き、圧電音響変換素子を、音圧及びその周波数に従って振動させ、その振動を、圧電素子の有するピエゾ効果により、電気信号に変換する（送話機能）ことができる。これは、本発明に係る圧電音響変換器がブザーや電話機用送受話器に適用できることを意味する。
【００１３】
一対の端子部材は、中間部より先の部分が、ケースの外部に導出され、ケースの一面の上方に向かって折り返されたばね片となっているから、ブザーや電話機用送受話器への適用に当たって、一対の端子部材に外部導体を電気的に接続する場合、外部導体を、ケースの一面の上方からばね片に押し付け、そのときに発生するばね圧を利用して、ばね片に電気的に接続することができる。従って、半田付け等の工程を必要とすることなしに、一対の端子部材と、外部導体とを、電気的に確実、かつ、容易に接続することができる。
【００１４】
一対の端子部材は、一端がケースの内部で圧電音響変換素子に接続され、中間部が第１のケース部材及び第２のケース部材の間で押さえられている。この構造によれば、外部導体からばね片に働く圧力が、端子部材の中間部において遮断され、圧電音響変換素子に接続されている一端部には伝達されない。このため、圧電音響変換素子の振動特性を損なうことなく、安定して動作する圧電音響変換器が得られる。
【００１５】
しかも、外部導体からばね片に働く圧力が、端子部材の中間部において遮断され、圧電音響変換素子に接続されている一端部には伝達されないから、ばね片を厚くする等して、ばね性を増大させ、外部導体との接触圧力を増大させ、接続の信頼性を向上させた場合でも、圧電音響変換素子の振動特性に悪影響を与えることがない。
【００１６】
本発明の更に具体的な特徴及び利点は、図面を参照して更に具体的に説明する。
【００１７】
【発明の実施の形態】
図１は本発明に係る圧電音響変換器の分解斜示図、図２は図１に示した圧電音響変換器の斜示図、図３は図１に示した圧電音響変換器の平面図、図４は図３の４−４線に沿った断面図、図５は図３の５−５線に沿った断面図である。図示するように、本発明に係る圧電音響変換器は、ケース１と、圧電音響変換素子２と、一対の端子部材３１、３２とを含む。
【００１８】
ケース１は、第１のケース部材１１と、第２のケース部材１２とを組み合わせて構成され、内部空間１０を有している（図４参照）。第１のケース部材１１は内部空間１０に連なる音響孔１１０を有している。ケース１の材料としては、例えば、ポリスチレン（ＡＢＳ）、ポリエチレンテレフタレート（ＰＢＴ）またはポリカーボネート（ＰＣ）等の熱可塑性樹脂が用いられる。これらの材料は用途等により適宜選択される。ケース１は、インジェクション成型等により製造される。その形状は、用途に応じて任意に設定できる。実施例に示された第１のケース部材１１及び第２のケース部材１２は、共に、短円筒状であり、ケース１は第１のケース部材１１及び第２のケース部材１２の周辺部の側壁部を互いに噛み合和せることによって、組み立てられている。
【００１９】
圧電音響変換素子２は、振動板２１の一面２１１上に圧電素子２２を搭載して構成され、内部空間１０を２分するようにして、ケース１の内部空間１０の内部に収納されている。圧電素子２２は、圧電磁器２２０の相対する両面に電極２２１、２２２を有する。この電極電極２２１、２２２は、Ａｇ等を真空蒸着法や印刷法を用いて形成される。振動板２１と圧電素子２２は、導電ペースト等で接着されており、導電ペーストによって互いに電気的に導通されている。また、用途に応じて、振動板２１の一面に１個の圧電素子２２を接着したもの（ユニモルフ）、２個の圧電素子を振動板２１の両面に接着したもの（バイモルフ）が用いられる。振動板２１及び圧電素子２２の材料、製造方法、形状は任意であり、用途に応じて、適宜選択される。振動板２１の材料としては、例えば、黄銅等を挙げられる。圧電素子２２の材料としては、例えば、ＰＭＮ系、ＰＺＴ系等を挙げられる。
【００２０】
端子部材３１は、一端３１１がケース１の内部で圧電素子２２に接続され、中間部３１２が第１のケース部材１１及び第２のケース部材１２の間で押さえられ、中間部３１２より先の部分が、ケース１の外部に導出され、第２のケース部材１２の一面の上方に向かって折り返されたばね片３１３となっている。一端３１１と圧電素子２２との間の接続は、半田等による固定手段が用いられるほか、一端３１１にばね性を付与して、圧電素子２２の表面に弾力的に接触させるような構造を採用することもできる。
【００２１】
端子部材３２は、一端３２１がケース１の内部で振動板２１に接続され、中間部３２２が第１のケース部材１１及び第２のケース部材１２の間で押さえられ、中間部３２２より先の部分が、ケース１の外部に導出され、第２のケース部材１２の一面の上方に向かって折り返されたばね片３２３となっている。一端３２１と振動板２１との間の接続は、半田等による固定手段が用いられるほか、一端３２１にばね性を付与して振動板２１に弾力的に接触させるような構造を採用することもできる。端子部材３１、３２は、りん青銅板、ベリリウム銅板またはステンレス板等の材料によって構成される。
【００２２】
上述のように、圧電音響変換素子２は、振動板２１の一面上に圧電素子２２を搭載して構成され、ケース１の内部空間１０を２分するようにして、ケース１の内部空間１０内に収納されている。第１のケース部材１１は内部空間１０に連なる音響孔１１０を有している。このような構造であると、第１のケース部材１１に設けられた音響孔１１０を通って、音波を第１のケース部材１１の内部に導き、圧電音響変換素子２を、音圧及びその周波数に従って振動させ、その振動を、圧電素子２２の有するピエゾ効果により、電気信号に変換することができる。また、圧電音響変換素子２を電気信号によって励振し、振動音を音響孔１１０を通って外部に放音することができる。これは、本発明に係る圧電音響変換器がブザーや電話機用送受話器に適用できることを意味する。
【００２３】
一対の端子部材３１、３２は、中間部３１２、３２２より先の部分が、ケース１の外部に導出され、第２のケース部材１２の一面１２１の上方に向かって折り返されたばね片３１３、３２３となっているから、ブザーや電話機用送受話器への適用に当たって、一対の端子部材３１、３２に外部導体を電気的に接続する場合、外部導体を、第２のケース部材１２の一面１２１の上方からばね片３１３、３２３に、矢印Ｆの方向（図２参照）押し付け、そのときに発生するばね圧を利用して、ばね片３１３、３２３に電気的に接続することができる。従って、半田付け等の工程を必要とすることなしに、一対の端子部材３１、３２と、外部導体とを、電気的に確実、かつ、容易に接続することができる。
【００２４】
端子部材３１は、一端３１１がケース１の内部で圧電素子２２に接続され、中間部３１２が第１のケース部材１１及び第２のケース部材１２の間で押さえられている。端子部材３２は、一端３２１がケース１の内部で振動板２１に接続され、中間部３２２が第１のケース部材１１及び第２のケース部材１２の間で押さえられている。この構造によれば、外部導体からばね片３１３、３２３に働く圧力Ｆが、端子部材３１、３２の中間部３１２、３２２において遮断され、圧電音響変換素子２に接続されている一端部３１１、３２１には伝達されない。このため、圧電音響変換素子２の振動特性を損なうことなく、安定して動作する圧電音響変換器が得られる。
【００２５】
しかも、外部導体からばね片３１３、３２３に働く圧力Ｆが、端子部材３１、３２の中間部３１２、３２２において遮断され、圧電音響変換素子２に接続されている一端部３１１、３２１には伝達されないから、ばね片３１３、３２３を厚くする等して、ばね性を増大させ、外部導体との接触圧力を増大させ、接続の信頼性を向上させた場合でも、圧電音響変換素子２の振動特性に悪影響を与えることがない。
【００２６】
一対の端子部材３１、３２と、外部導体との組み合わせについては、本発明に係る圧電音響変換器を電話機用送受話器に適用した具体例を参照して、後で詳しく説明する。
【００２７】
図１〜図５のうち、特に、図４を参照すると、第１のケース部材１１は、圧電音響変換素子２の前面に第１の音響空間１０１を生じさせている。第２のケース部材１２は、圧電音響変換素子２の背面に、第１の音響空間１０１から区画された第２の音響空間１０２を生じさせている。この構造によれば、第１の音響空間１０１及び第２の音響空間１０２の共鳴特性を利用した音響特性を得ることができる。
【００２８】
第２のケース部材１２は、第２の音響空間１０２に連なる背気孔１２０を有し、背気孔１２０は音響抵抗シート４によって閉じられている。このような構造であると、背気孔１２０及び音響抵抗シート４により適度の音響抵抗制動を与え、周波数特性を平坦化し、周波数特性を改善することができる。
【００２９】
更に、第２のケース部材１２は、背面部１２１を有しており、背面部１２１は第１のケース部材１１の天面部１１１と対向する。端子部材３１、３２は、第２のケース部材１２の背面部１２１の上方に向かって折り返されている。このような構造であると、ブザーや電話機への適用において、第１のケース部材１１の天面部１１１のある側を音響応答面とし、第１のケース部材１１の天面部１１１とは反対側にある第２のケース部材１２の背面部１２１のある側から外部導体をばね接触させることができるので、組立てが容易になる。
【００３０】
更に、端子部材３１、３２は、ケース１の外部に導出された部分の厚みが、一端部３１１、３２１側の厚みよりも大きい。この構造によれば、端子部材３１、３２は、一端部３１１、３２１側と、ケース１の外部に導出された部分とにおいて、端子部材強度を調節できる。端子部材３１、３２の一端部３１１、３２１側では、圧電素子２２の振動を阻害しないように端子部材強度を低くし、ケース１の外部に導出された部分では、外部との電気的接続を確実に実行するために、端子部材強度を高くする。上述の端子部材強度を得るためには、端子部材３１、３２は、ケース１の外部に導出された部分で０．１５〜０．４０mmの厚みが必要であり、一端部３１１、３２１側で０．０３〜０．１３mmの厚みが必要である。ここで、端子部材強度とは端子部材の変形されにくさを言う。
【００３１】
上述した厚みを有する端子部材３１、３２は、金属板材を折り曲げ加工することにより、容易に得ることができる。図６〜図１３は金属板材の折り曲げ加工部品として実現された端子部材３１、３２の具体例及びその製造方法示す図である。図において、寸法は必ずしも、図１〜図５の実施例と対応しない。図６は端子部材３１、３２の斜視図、図７は図６の７ー７線に沿った拡大断面図である。
【００３２】
図６及び図７を参照すると、端子部材３１、３２のそれぞれの一端部３１１、３２１は、金属板材の板厚による厚みｔ１を有する。一端部３１１、３２１を除く部分は、金属板材に折り曲げ加工を施すことによって厚みｔ２まで増大されている。このような構造であると、圧電音響変換素子２に接続される一端部３１１、３２１の厚みｔ１を薄くして、圧電音響変換素子２の振動特性を阻害しないような構造とする一方、外部導体と接触するばね片３１３、３２３の厚みｔ２を大きくして、ばね性を増大させ、外部導体との電気的接続において、接触圧力を増大させた端子部材を容易に実現できる。
【００３３】
図８及び図９は図６及び図７に示した端子部材の製造方法を示す図である。まず図８に示すように、金属板材３０を点線Ｏ１、Ｏ２に沿って矢印ａ１、ａ２の向きに折り畳む。
【００３４】
次に、図９に示すように、金属板材３０を点線Ｏ３、Ｏ４に沿って矢印ａ３、ａ４の向きに折り畳む。これにより、図６及び図７に示した端子部材３１、３２が得られる。
【００３５】
図１０は端子部材３１、３２の別の実施例を示す斜視図、図１１は図１０の１１ー１１線に沿った拡大断面図である。図において、寸法は必ずしも、図１〜図５の実施例と対応しない。
【００３６】
図１０及び図１１を参照すると、端子部材３１、３２のそれぞれの一端部３１１、３２１は、金属板材の板厚による厚みｔ１を有する。一端部３１１、３２１を除く部分は、金属板材に折り曲げ加工を施すことによって厚みｔ２まで増大されている。従って、図１０及び図１１に示された端子部材３１、３２も、図６及び図７に示した実施例と同様の作用効果を奏する。
【００３７】
図１２及び図１３は図１０及び図１１に示した端子部材３１、３２の製造方法を示す図である。まず、図１２に示すように、金属板材３０を点線Ｏ５に沿って矢印ｂ１の向きに折り畳む。
【００３８】
次に、図１１に示すように、金属板材３０を点線Ｏ６に沿って矢印ｂ２の向きに折り畳む。これにより、図９図１０に示した端子部材３１、３２が得られる。
【００３９】
再び、図１〜図５を参照して説明する。ばね片３１３、３２３の先端部は、第２のケース部材１２の一面１２１の面内に位置する。このような構造であると、ブザーまたは電話機への適用において、ばね片３１３、３２３に対して外部導体を確実に接触させることができるようになると共に、圧電音響変換器を安定した状態で固定することができる。
【００４０】
更に、第１のケース部材１１は、端子部材３１の中間部３１２を押さえる端子導出部分１１２が、外側に突出する突出部分となっている。第２のケース部材１２は、端子部材３２の中間部３２２を押さえる端子導出部分１２２が、外側に突出する突出部分となっている。このような構造であると、端子部材３１、３２の中間部３１２、３２２を押さえる領域の面積が大きくなるので、外部導体からばね片３１３、３２３に働く圧力の遮断及び端子部材３１、３２の固定がより確実になる。
【００４１】
更に、第１のケース部材１１は、端子導出部分１１２に突起１１３、１１４、１１５を有し、第２のケース部材１２は端子導出部分１２２に突起１１３、１１４、１１５を受ける孔１２３、１２４、１２５を有する。このような構造であると、突起１１３と孔１２３、突起１１４と孔１２４、突起１１５と孔１２５との嵌め合いにより、第１のケース部材１１及び第２のケース部材１２を確実に組み合わせることができる。
【００４２】
突起１１３及び孔１２３は、端子部材３１の通る領域内に配置されている。突起１１５及び孔１２５は、端子部材３２の通る領域内に配置されている。端子部材３１は、中間部３１２に突起１１３を通す孔３１４を有する。端子部材３２は、中間部３２２に突起１１５を通す孔３２４を有する。このような構造であると、端子部材３１の孔３１４内に突起１１３を通し、端子部材３２の孔３２４内に突起１１５を通すことにより、端子部材３１、３２をケース１に確実に位置決めし、固定できる。このため、端子部材３１、３２の位置変動による圧電音響変換素子２の振動障害を阻止することができる。
【００４３】
圧電素子２２は、その全周と、振動板２１の全周辺との間に間隔Ｄを有して、振動板２１の一面２１１の面上に搭載されている。振動板２１は、周辺部分が、第１のケース部材１１及び第２のケース部材１２の間で押さえられている。この構造によれば、圧電音響変換素子２の音響特性を、振動板２１の直径、厚み等によって容易に設定することができる。
【００４４】
図１４及び図１５は本発明に係る圧電音響変換器の組立方法を示す図である。まず、図１４に示すように、第１のケース部材１１の内部に圧電音響変換素子２を設置し、端子部材３１、３２を圧電音響変換素子２と接続する。
【００４５】
次に、図１５に示すように、第２のケース部材１２を第１のケース部材１１に嵌め込み、端子部材３１、３２のケース１の外部に導出された部分を、矢印ｃ１、ｃ２に沿って第２のケース部材１２の一面１２１の上方に折り返す。
【００４６】
本発明に係る圧電音響変換器は、ブザーや電話機用送受話器に適用される。図１６は本発明に係る圧電音響変換器を用いた電話機用送受話器の部分断面図、図１７は図１６に示した電話機用送受話器の分解す図である。
【００４７】
図１６及び図１７に示すように、電話機用送受話器は、送受話器本体５と、圧電音響変換器６とを含む。圧電音響変換器６は、図１〜図１５に示した本発明に係る圧電音響変換器であり、送受話器本体５の内部に配置される。送受話器本体５は、送話口及び受話口５０を有する。圧電音響変換器６は、送話口または受話口５０の一方、または両者に備えられている。一般に、送話口または受話口５０と圧電音響変換器６との間には、パッキン７が装着される。パッキン７は、シリコンゴム等の弾性体から構成されており、送受話器本体５の設けられた凹部５３に挿入され、音漏れ及び音質の劣化を防ぐ役割を果たす。
【００４８】
圧電音響変換器６は、第１のケース部材１１に設けられた音響孔１１０（図１参照）が、受話口５０に対面するように配置されている。
【００４９】
送受話器本体５は、ケース５１と、蓋５２とを有する。ケース５１は、送話口または受話口５０を有する。蓋５２は、送話口または受話口５０とは反対側に位置するケース５１の背面に配置され、圧電音響変換器６に備えられた端子部材３１、３２のばね片３１３、３２３に接触して押圧する。蓋５２は、端子部材３１、３２のばね片３１３、３２３と接触する部分に、外部導体となる一対の導体パターン５２１を有する。
【００５０】
図１〜図５を参照して、既に述べたように、圧電音響変換器６において、一対の端子部材３１、３２は、中間部３１２、３２２より先の部分が、ケース１の外部に導出され、第２のケース部材１２の一面１２１の上方に向かって折り返されたばね片３１３、３２３となっているから、一対の端子部材３１、３２のばね片３１３、３２３に蓋５２の導体パターン５２１を電気的に接続する場合、導体パターン５２１を、第２のケース部材１２の一面１２１の上方からばね片３１３、３２３に押し付け、そのときに発生するばね圧を利用して、ばね片３１３、３２３に電気的に接続することができる。従って、半田付け等の工程を必要とすることなしに、一対の端子部材３１、３２と、蓋５２に設けられた導体パターン５２１とを、電気的に確実、かつ、容易に接続することができる。
【００５１】
端子部材３１は、一端３１１がケース１の内部で圧電素子２２に接続され、中間部３１２が第１のケース部材１１及び第２のケース部材１２の間で押さえられている。端子部材３２は、一端３２１がケース１の内部で振動板２１に接続され、中間部３２２が第１のケース部材１１及び第２のケース部材１２の間で押さえられている。この構造によれば、導体パターン５２１からばね片３１３、３２３に働く圧力が、端子部材３１、３２の中間部３１２、３２２において遮断され、圧電音響変換素子２に接続されている一端部３１１、３２１には伝達されない。このため、圧電音響変換素子２の振動特性を損なうことなく、安定して動作する電話機用送受話器が得られる。
【００５２】
しかも、導体パターン５２１からばね片３１３、３２３に働く圧力が、端子部材３１、３２の中間部３１２、３２２において遮断され、圧電音響変換素子２に接続されている一端部３１１、３２１には伝達されないから、ばね片３１３、３２３を厚くする等して、ばね性を増大させ、導体パターン５２１との接触圧力を増大させ、接続の信頼性を向上させた場合でも、圧電音響変換素子２の振動特性に悪影響を与えることがない。
【００５３】
【発明の効果】
以上述べたように、本発明によれば、次のような効果を得ることができる。
（ａ）ブザーや電話機用送受話器に適用し得る圧電音響変換器を提供できる。
（ｂ）半田付け等の工程を必要とすることなしに、外部導体を、電気的に確実、かつ、容易に接続し得る圧電音響変換器を提供できる。
（ｃ）圧電音響変換素子の振動特性を損なうことなく、安定して動作する圧電音響変換器を提供できる。
（ｄ）外部導体との電気的接続の信頼性を向上させた圧電音響変換器を提供できる。
【図面の簡単な説明】
【図１】本発明に係る圧電音響変換器の分解斜示図である。
【図２】図１に示した圧電音響変換器の斜示図である。
【図３】図１及び図２に示した圧電音響変換器の平面図である。
【図４】図３の４−４線に沿った断面図である。
【図５】図３の５−５線に沿った断面図である。
【図６】図１〜図５に示した圧電音響変換器に用いられる端子部材の一例を示す斜視図である。
【図７】図６の７ー７線に沿った拡大断面図である。
【図８】図６及び図７に示した端子部材の製造工程を示す斜示図である。
【図９】図８の製造工程の後の工程を示す斜視図である。
【図１０】図１〜図５に示した圧電音響変換器に用いられる端子部材の別の例を示す斜視図である。
【図１１】図１０の１１ー１１線に沿った拡大断面図である。
【図１２】図１０及び図１１に示した端子部材の製造工程を示す斜示図である。
【図１３】図１２の製造工程の後の工程を示す斜視図である。
【図１４】図１〜図５に示した圧電音響変換器の組立工程を示す概略図である。
【図１５】図１４に示した組立工程の後の工程を示す概略図である。
【図１６】本発明に係る圧電音響変換器を用いた電話機用送受話器の部分断面図である。
【図１７】図１６に示した電話機用送受話器の分解図である。
【符号の説明】
１                ケース
１１              下ケース
１０              内部空間
１１０            音響孔
１２              上ケース
２                圧電音響変換素子
２１              振動板
２２              圧電素子
３１、３２        端子部材
４                音響抵抗シート
５                送受話器本体
６                圧電音響変換器
【図１】
0003824185.tif 000002
【図２】
0003824185.tif 000003
【図３】
0003824185.tif 000004
【図４】
0003824185.tif 000005
【図５】
0003824185.tif 000006
【図６】
0003824185.tif 000007
【図７】
0003824185.tif 000008
【図８】
0003824185.tif 000009
【図９】
0003824185.tif 000010
【図１０】
0003824185.tif 000011
【図１１】
0003824185.tif 000012
【図１２】
0003824185.tif 000013
【図１３】
0003824185.tif 000014
【図１４】
0003824185.tif 000015
【図１５】
0003824185.tif 000016
【図１６】
0003824185.tif 000017
【図１７】
0003824185.tif 000018